(57)【要約】本発明は、多くの保護パネルを備える、着用者の体の胸部または胴の領域を、特に腰部の次から垂直に保護するためのベストに関し、これらの保護パネルのうちの少なくともいくつかは、手で、または、ミシン掛けの整合を用いて作られる、縫い目として役立つ縫合部（Ｃ）によって、互いに接合され、それによって、少なくとも１組の保護パネルの（３２）を形成するために、２つの縫合されたパネル間に関節式の連結部を形成する。【選択図】  図２
2009515056.tif 000002
【特許請求の範囲】
【請求項１】
使用者の体の躯幹または胴の領域を、特に首部から腰部まで垂直に保護するための保護ベスト（１０）であって、
−その３次元の構成が保護されるべき前記領域の少なくとも一部分に適している、複数の保護パネル（Ｐ）と、
−前記使用者の体の隣にある第１のまたは内側の層（２８）と、前記第１の層に全体的に平行して第２のまたは外側の層（３０）とを組立てることによって形成されている外被（２６）であって、前記複数のパネル（Ｐ）が前記外被（２６）の内側に配置されている、外被（２６）と、
を備えるタイプであり、
前記ベストが、前記保護パネル（Ｐ）のうちの少なくともいくつかが、手で作られるかまたはミシンによる縫い目を形成しているステッチ（Ｃ）によって、２つの縫合されたパネル間の関節式連結部を作成して保護パネル（Ｐ）の少なくとも１つのグループ（３２）を作成するような方法で、共に連結されていることを特徴とする、保護ベスト（１０）。
【請求項２】
前記保護パネル（Ｐ）のうちの少なくともいくつかが、２つの縫合されたパネルの間に空気循環のための分離部（ｊ）を画成するような方法で、縫い目を形成しているステッチ（Ｃ）によって共に連結されており、かつ前記外被の両方の層が、通気性の材料でできていることを特徴とする、請求項１に記載の保護ベスト。
【請求項３】
前記外被（２６）の前記両方の層（２８、３０）が、規則的なメッシュの網でできていることを特徴とする、請求項１および２のいずれか一項に記載の保護ベスト。
【請求項４】
前記保護パネル（Ｐ）の全てが、空気に対して透過性のあるパネル（Ｐ）の関節式構造物（３２）を作成するために、縫い目を形成しているステッチ（Ｃ）によって共に連結されていることを特徴とする、請求項１および２のいずれか一項に記載のベスト。
【請求項５】
各パネル（Ｐ）が発泡ポリエチレンフォームのシートから熱成形されることを特徴とする、請求項１および２のいずれか一項に記載の保護ベスト。
【請求項６】
それぞれ保護パネル（Ｐ）が、プレート（Ｐｅ）からなるこれの外面、および少なくとも１つの内側の保護ブロック（Ｐｐ）からなるこれの内面に、異なる構造上の特徴を有するような方法で、前記パネルが熱成形される前記フォームシートが、異なる構造物および特に異なる密度を有する２つの重畳された下層（ＳＣｅ，ＳＣｉ）から構成されることを特徴とする、請求項５に記載の保護ベスト。
【請求項７】
１つのパネルが、互いに関着される少なくとも２つの隣接する保護ブロック（Ｐｐ）を備えることを特徴とする、請求項１および２のいずれか一項に記載の保護ベスト。
【請求項８】
前記ベスト（１０）の背部（１４）が、ショルダラインの下に垂直に延びる首開口部（２５）を備えることを特徴とする、請求項１および２のいずれか一項に記載の保護ベスト。
【請求項９】
前記ベストの底縁部が、腰部のための２つの切欠き部を有することを特徴とする、請求項１および２のいずれか一項に記載の保護ベスト。
【発明の詳細な説明】
【技術分野】
【０００１】
本発明は、衝撃に対する保護を提供するためのベストに関する。
【０００２】
本発明は、特に、例えば乗馬活動など危険性の高い様々な種類の活動において使用されるように設計されている保護ベストに関し、騎手、および、馬と接触し、例えば馬からの蹴りなど衝撃の危険性のある全ての人々の両方のために意図されているものである。
【０００３】
騎手用の防護服、保護ジャケット、保護ベストおよびショルダーグローブのための要件および試験方法は、２０００年５月フランス規格欧州規格１３．１５８（NF EN 13.158, May 2000）に定められている。
【０００４】
この規格は、男女両方の騎手、児童、青年および成人によって着用される保護ジャケットおよびベストおよび肩当てに適用され、馬からの落下、ならびに馬の蹄からの蹴りによる落下時の衝撃に対してこれらを保護する。
【０００５】
この保護はまた、踏みつけや圧縮に対してこれらを保護しなければならない。
【０００６】
この規格はまた、これらの製品が馬とともに働く人々に適していてもよく、また、例えば蹴りにさらされてもよいことを規定する。
【０００７】
この規格は、保護ベストを、胴の定められた領域および背部の下部領域を覆う袖なしの衣服として定めており、このベストは、１つ以上の材料の層から構成されていて、足または蹄からの衝撃、急落および蹴りに起因する負傷を減少させるように設計されている。
【０００８】
衝撃を取扱う要件の他に、この規格はまた、人間工学的な要件を定めており、この要件によって、保護ジャケットまたはベストは、これらが発生させる不快感を和らげるような方法で設計されることができる。
【０００９】
本発明は、保護ベストの構成に関し、この目的は、特に上述した要件を満たすものであるが、これの使用はこの種の活動に限定されるものではない。
【背景技術】
【００１０】
ジョッキー用の保護ベストの公知の一例が、カナダ、オンタリオ州のフェニックスパフォーマンスプロダクト株式会社（Phoenix Performance Products Inc., Ontario, Canada）の参照モデル１００５（競馬騎手用ベスト）で販売されている。
【００１１】
それのベストのモデルは、保護されるべき胴の部分の形状に適合するフォームパネルの組立品からなる。
【００１２】
この保護構造物のフォームパネルは全て、２層の生地の外被で囲まれており、このパネルはこれらの間にある。
【００１３】
２つの層は、ベストの外周の周りで縫合されている。
【００１４】
さらに、パネルを互いに位置付けして、関節式構造物を形成するような方法で、連結部が、パネルの間にある２つの生地の層の間と各パネルの周りとにある。
【００１５】
このようなベストは、特に人間工学および快適さに関して、より詳細には、これの使用者によって認められるようなこれの全体的な可撓性に関し、また、特にこのタイプのベストが１日あたり何時間もこれの使用者によって着用されている場合に、快適さの決定要因となる全体的な通気またはエアレーションに関して、完全に満足のいくようなものでない。
【００１６】
さらに、特に男女両方の成人用の異なるサイズまたは寸法を作ることに関して、提案されている構成は、いかなる満足のいく便利な方法で産業的に製作されることができない。
【発明の開示】
【発明の概要】
【００１７】
本発明は、以下を備えるタイプの、使用者の体の躯幹または胴の領域を、特に首部から腰部まで垂直に保護するための保護ベストを提供する：
−３次元の構成が保護されるべき上記の領域の少なくとも一部分に適している、複数の保護パネル；
−使用者の体の隣にある第１のまたは内側の層と、この第１の層に全体的に平行して第２のまたは外側の層とを組立てることによって形成されている外被であって、上記の複数のパネルが上記の外被の内側に配置されている外被；
上記のベストは、上記の保護パネルのうちの少なくともいくつかが、手で作られるかまたはミシンによる縫い目を形成しているステッチによって、２つの縫合されたパネル間の関節式連結部を作成して少なくとも１つの保護パネルのグループを作成するような方法で、共に連結されていることを特徴とする。
【００１８】
本発明の他の特徴は、以下の通りである。すなわち、
−上記の保護パネルのうちの少なくともいくつかが、２つの縫合されたパネルの間に空気循環のための分離部または間隙を画成するような方法で、縫い目を形成しているステッチによって共に連結されており、外被の両方の層が、通気性の材料でできている；
−外被の両方が、規則的なメッシュの網でできている；
−保護パネルが、空気に対して透過性のある関節式のパネルの構造を作成するために、縫い目を形成しているステッチによって共に連結されている；
−各パネルが、発泡ポリエチレンフォームのシートから熱成形される；
−それぞれ保護パネルが、プレートからなるこれの外面および少なくとも１つの内側の保護ブロックからなるこれの内面に、異なる構造上の特徴を有するような方法で、パネルが熱成形されるフォームシートが異なる構造物および特に異なる密度を有する２つの重畳された下層から構成される；
−１つのパネルが、互いに関着されている少なくとも２つの隣接する保護ブロックを備える；
−ベストの背部が、ショルダラインの下に垂直に延びる首開口部を備える；
−ベストの底縁は、腰部のための２つの切欠き部を有する。
【００１９】
本発明の他の特徴は、以下の詳細な説明を読むと、明らかになるであろう。これの説明を理解するために、読み手は添付の図面を参照されたい。
【詳細な説明】
【００２０】
以下の説明では、同一であるか、近似しているか、類似した部分は、同じ参照番号によって示されることとする。
【００２１】
図に示されている保護ベスト１０が、背部の中央を下に通る中央の垂直軸ＡＶＭを中心として全体的に対称的な設計を有し、同一の部分は同じ参照によって示されており、後に「Ｇ」（左）または「Ｄ」（右）が続いている。図に示されている保護ネット１０が、背部の中央を下に通る中央の垂直軸ＡＶＭを中心として全体的に対称的な設計を有し、同一の部分は同じ参照によって示されており、後に「Ｇ」（左）または「Ｄ」（右）が続いている。
【００２２】
図に示されている保護ベスト１０は、２つの対向する袖ぐり１２Ｇおよび１２Ｄを介して従来の方法で着用され、主として背部１４と、２つの前半分、すなわち左側前半分１６Ｇおよび右側前半分１６Ｄとからなる、一体成形のベストの一般的な形状をとる。
【００２３】
ベスト１０は、この場合、２部１８Ｇ、１８Ｄの「エクレール（Eclaire）」（登録商標）ジッパーによって前部で閉止する。
【００２４】
両側では、肩部は、前部で２つの対向する肩片２０Ｇ、２０Ｄ、および、背部で２２Ｇ、２２Ｄからなる。これらは、使用者の首部を肩部に連結する線で合致し、肩バンド２４Ｇ、２４Ｄを備えている調整可能な取付け物によって互いに連結されて固締される。この肩バンドは、後部肩片２２Ｇ、２２Ｄの自由端から延び、前部肩片２０Ｇ、２０Ｄの上に配置されている。バンド２４Ｇ、２４Ｄは、数多くのフックおよびループからなるタイプのファスナ２１Ｇ、２１Ｄによって固締され、このファスナは「ベルクロ（Velcro）」（登録商標）ファスナとしても知られている。
【００２５】
ベスト１０は、主として通気性の外側の外被からなり、実際の関節式の内部保護構造物である。
【００２６】
外側の外被２６は、２つの「生地」の層、すなわち、内層２８および外層３０から作られており、これらの層は、ほぼ同じ形状および寸法であり、これらの適合している外周の周り全てを例えば縫合によって互いに連結されている。
【００２７】
この場合に外被の２つの層２８、３０のそれぞれのために使用されている生地は、規則的なメッシュの網の形状をとる。
【００２８】
使用されているメッシュ生地は、各メッシュの開口部が、生地を介して空気が事実上自由に循環できるのに十分なものである。
【００２９】
説明を容易にするために、メッシュは図においてこれらの実際の寸法よりも大きい。
【００３０】
生地は、様々な方法で、すなわち、織ること、編むこと、結び目を作ること、成形することなどによって、製作されることができる。
【００３１】
使用される生地または織物は、特に摩耗および破断に耐性があり、さらに維持するのが容易である合成材料から好ましくは作られる。
【００３２】
最も強力なメッシュは、直線織によって得られるメッシュである。
【００３３】
外被２６は、最初に裾で開いている外被２６を形成するような方法で、これの周縁端の周囲全てを、２つの前側片１６Ｇ、１６Ｄのジッパーの２つの相補形の部分１８Ｇ、１８Ｄに沿って、首部１７Ｇ、１７Ｄ、２つの袖ぐり、および首部の後部切欠き１５の周囲を縫合することによって、作られる。
【００３４】
ベスト１０の長さ部分全てに沿った、裾の開口部によって、予め組立てられた保護構造物３２を裾から上方へ垂直に挿入することができるようになり、このあと、ほぼ直線の下縁部３４に沿って最後のふちを縫合することによって外被２６が閉止されることができる。
【００３５】
さらなる縫い目３６はまた、縫合された下部のふち３４の近くで作られ、この縫い目は、保護構造物３２を外被２６内に正確に配置し、かつ組立てられた構造物３２が外被２６内部で垂直に移動しないようするために、組立てられた保護構造物３２の下部の輪郭に追従する成形用の縫い目である。
【００３６】
関節式構造物３２が挿入される前に外被２６を作ることは、極めて容易であり、また、外被２６が、これの附属品全て、特にこれのジッパーと、これのバンド２４Ｇ、２４Ｄと、「ベルクロ」ファスナ２１Ｇ、２１Ｄとを備えることができることを意味する。
【００３７】
組立品の強度を向上させるために、さらなる最後のステッチを使用する場合に、関節式の保護構造物のいくつかのパネルに、特にジッパーの各部分１８Ｇ、１８Ｄに沿って垂直に、外被２６を縫合することもまた、可能である。
【００３８】
関節式の保護構造物は、様々な形状および寸法の多数または複数の保護パネルＰｉの組立品からなり、これらは、概して垂直のおよび／または水平方向の軸を中心として隣接するパネル間に関節を形成するような方法で、ともに組立てられる。
【００３９】
パネルＰｉの数やこれらの寸法および形状、ならびに関節の位置または線は、女性のベストの場合、女性の使用者の胸部等、使用者の胴または躯幹の曲線に対する最大の可撓性および最大の順応性を組立品３２に与えるように、特に選択される。
【００４０】
本発明によると、隣接するパネルＰ間の連結部のタイプは、２つの相互連結されている隣接するパネルの２つのほぼ平行に隣接する縁部Ｂの間に間隙「ｊ」が残っているようになっている。このように形成されている各分離部または間隙「ｊ」は、関節式の保護構造物３２を介して、したがって、ベスト１０を介して循環する空気のための流路を提供する。
【００４１】
２つの隣接するパネルＰ間に関節を作り、制御された分離部または間隙「ｊ」の存在をさらに保証するために、組立品は、縫い目Ｃｉを用いて様々なパネルＰ間に作成される。縫い目Ｃは、例えばミシンで好ましくは作られてもよい。
【００４２】
ベスト１０の所与の寸法および設計のために、保護構造物３２は、作成されるべき設計に対応している様々なパネルＰを縫合することによって、所望の寸法に共に徐々に組立てられる。
【００４３】
ステッチまたは縫い目Ｃは、ステッチによって連結されている隣接するパネルＰｉの縁部Ｂに対して、概して水平方向に平行におよび／または垂直方向に平行に、換言すれば概して直角に、形成される。
【００４４】
各保護パネルＰは、特に緩衝機能を有する１つ以上の保護ブロックＰｐを有する。
【００４５】
各ブロックＰｐは、例えば、ブロックＰｐを熱成形することによるなど、成形の生産技術のためにいくぶんテーパを付けている直方体の全体的な形状を有し、それぞれは、ほぼ矩形ベースを備えた角すいの台形の形状をしている。
【００４６】
いくつかのパネルＰおよびブロックＰｐは、これらが位置するところに依存して、このようなわずかに異なる形状をしている。
【００４７】
各パネルＰのブロックＰｐの形状および寸法は、対応するパネルＰの形状および寸法に適している。
【００４８】
より正確に言うと、各パネルＰは、外パネルＰｅからなり、この外パネルから、パネルの様々なブロックｐｐが横方向内側に延びている。
【００４９】
各ブロックＰｐの自由端である平坦面Ｐｉは、外パネルＰｅの自由面の主平面に対して平行であり、ベスト１０の使用者の体の方に向かっている。
【００５０】
これの保護ブロックＰｐを備えた各パネルＰは、発泡ポリエチレンフォームのシートを熱成形することによって、一体式に作られるのが好ましい。
【００５１】
好ましくは、および本発明の１つの具体的な態様では、パネルＰがこれから熱成形されるフォームシートが、異なる構造物および特に異なる密度を有する２つの重畳された層から構成されている。
【００５２】
このように成形されることになるシートは、高密度で薄い外側の下層ＳＣｅと、低密度で厚い内側の下層ＳＣｉとを備える。
【００５３】
熱成形した後、外側の下層ＳＣｅは、パネルＰの外パネルＰｅとなる一方で、ブロックＰｐは、厚い内側の下層Ｓｃｉ内に少なくとも部分的に形成される。
【００５４】
１つの任意選択は、所与の形式およびサイズの１つのベスト１０を製作するために必要とされるパネルＰ全てを同時に熱成形するための金型を使用することである。
【００５５】
各保護パネルＰ、およびしたがって組立てられた関節式構造物３２は、このように、パネルＰｅからなるこれの外面と、隣接する内側保護ブロックＰｐからなるこれの内面とに、異なる構造上の特徴を有する。
【００５６】
この結果、特に、使用中に外パネルＰｅと使用者の躯幹または胴の保護されることになる表面との間に挿置されている保護ブロックＰｐの高い緩衝能力と組み合わせられて、組立てられた構造物の硬い外面が極めて高い耐衝撃性となる。
【００５７】
所与のパネルの隣接するブロックＰｐは、外パネルＰｅによって互いに連結されており、この結果、所与のパネルの２つの隣接するブロックＰｐ間の関節によって、隣接する２つのブロック間の全体的な連結部の領域での外パネルの弾性変形によって可撓性となる。
【００５８】
ベスト１０は外周を有し、本明細書において記載されている実施形態では、この外周はより具体的に乗馬に適している。
【００５９】
この目的のために、背部１４の底縁は、ほぼ水平であり、装着を容易にし、サドルと衝突しないように、２つの前側片１６Ｇ、１６Ｄの水平の底縁と同じ垂直方向の高さに設置されている。
【００６０】
同様に、背部の頂縁部は、大きな首開口部１５を含むので、騎手の首または騎手の乗馬用ヘルメットまたはキャップに衝突せずに、背部の頂縁部は容易に騎手の装着された位置を合わせる。
【００６１】
関節式の保護構造物３２は、背部の中央で下に通っている中央の垂直軸ＡＶＭを中心として、全体的に対称性の設計を呈する。
【００６２】
より詳しくは、記載されている実施形態では、各前側片１４Ｇ、１４Ｄは、この場合、ジッパーに連結されている部分に隣接している第１のパネルからなる第１の領域Ｚ１からなり、この第１の領域は、垂直であり、ベストの全長を走っており、かつ２つの平行した垂直の一連のブロックを備える。
【００６３】
次に、構造物３２は、視覚的に２つの垂直の一連のブロックを備えている、概して垂直向きの第２の領域Ｚ２を備える。
【００６４】
このすぐ隣接する第２の領域では、隣接する２つの水平のブロックが、同じ１つの水平のパネルに属しているので、この領域は、組立品の底部で６つの垂直に重畳された横方向のパネルからなり、このパネルはそれぞれ２つのブロックを備える。頂部は、６つのブロックで１つの垂直の柱を備える単一のパネルである。
【００６５】
次に、袖ぐりの垂直方向下に、２つの平行した垂直のパネルからなる第３の領域Ｚ３があり、それぞれが垂直の一連のブロックまたはブロックの柱を有する。
【００６６】
背部は、２つの垂直パネルからなる第４の領域Ｚ４からなり、それぞれが６つの隣接するブロックで１つの垂直の柱を備えている。
【００６７】
第５の領域Ｚ５が、背部１４の主要な中央の領域であり、Ｖ点にたどり着く下部のブロックを含む、４つの相補形の特定の形状のブロックを備えたＶ型の下部のパネルを備える。
【００６８】
下部のＶ型のパネルの上には、この中央の領域２５は、Ｖ字のアームから続いている２つのパネルを備え、それぞれが８個のブロックで２つの隣接する垂直の柱を有し、それほどは高くなく、２つの特定に成形されたブロックを備える中央のＶ型のパネルにおいて終える。ベストの背部は、このようにショルダラインの下に垂直に延びる首部の孔の切欠き部を有し、これの最下部の位置は上記の下部のＶ型の中央のパネルの頂縁部に対応している。
【００６９】
組立てられた構造物３２は、概して対称的な設計であるので、他方の半分を、さらに詳細に記載しないこととする。
【００７０】
上述してきたような女性のベストの場合、パネルおよびそれらの配置は、両側に、ベストの底部に、図２の参照番号Ｚ３での表示に対応している各腰部のための凹部または切欠きがあるようになっている。
【００７１】
男性の保護ベストの場合には、腰部の切欠きがなく、また、各前側片Ｚｌ−Ｚ２の頂部では、パネルおよびこれらの配置は、図で示されている形状ともまた異なっている。このように、個々のブロックの柱からそれぞれ構成されている頂部での２つの延在部または肩片または柱は、共に連結されており、それぞれ２つの水平方向に隣接するブロックを備える多くの水平方向に重畳されたパネルを共に縫合することによって構成される。
【図面の簡単な説明】
【００７２】
【図１】保護ベストの前ジッパーによって閉止されている使用位置で図示されている、本発明による女性の保護ベストの例示的な一実施形態の線図化された斜視図である。
【図２】外被へ挿入される前の、ベストの使用者の体の次にある内側または内部から平面で示されており、連結用ステッチが左側半分のパネルになされている、図１で見られる保護ベストの組立てられた保護構造物を示す、線図化された詳細図である。
【図３】保護構造物を網のような外側の外被に挿入させた後で、クロージングステッチがなされた後でのベストを示している図２の図に類似した部分図である。
【図４】外側の外被の網のような２つの層の間にある構造物の保護パネルの配置を示している、線図化された部分詳細図である。
【図５】本発明によるベストの関節式保護構造物に属する保護パネルの例示的な一実施形態の、特に断面での線図化された斜視図である。
【図６】異なる隣接する保護パネルがどのように共に組立てられるかを示している、図２の詳細図である。
【図７】組立てられた保護構造物の他の表面、すなわち、外側に向いている側面を示している、図６に類似した詳細図である。
【図１】
2009515056.tif 000003
【図２】
2009515056.tif 000004
【図３】
2009515056.tif 000005
【図４】
2009515056.tif 000006
【図５】
2009515056.tif 000007
【図６】
2009515056.tif 000008
【図７】
2009515056.tif 000009
【国際調査報告】
2009515056.tif 000010
2009515056.tif 000011
2009515056.tif 000012
2009515056.tif 000013
2009515056.tif 000014
2009515056.tif 000015